(57)【要約】  フラッシュファイル生成システム２によりユーザ端末５０とフラッシュファイルサーバ１０との間で、フラッシュファイル編集処理部１０１にてフラッシュファイル生成の基となる静止画像情報や文字情報や動画像情報やスライドにかかる情報の編集を行い、編集に係る情報をフラッシュファイルに適合するように変換を行い、変換後の各種情報を前記フラッシュファイル生成処理部（ジェネレータ）にて所定の処理により結合してフラッシュファイル（ＳＷＦ）を生成する一連の作業を、フラッシュファイル操作画面表示処理部にてネットワークを介してウェブブラウザによりユーザ端末の画面に表示される操作画面上での操作で実現させる。
2009034718.tif 000002
【特許請求の範囲】
【請求項１】
ウェブ上でフラッシュファイルにかかる画像情報を生成するフラッシュファイル生成システムであって、該フラッシュファイル生成システムはフラッシュファイル管理装置及びフラッシュファイル記憶装置を具備して構成され、
前記フラッシュファイル管理装置は、
静止画像情報、文字情報、動画像情報、スライドにかかる情報の各種情報のうち少なくとも１つを含む情報を編集するフラッシュファイル編集処理部と、
編集に係る静止画像情報をリサイズ及びデータ形式の変更を含むフラッシュファイル生成可能な状態に変換するフラッシュファイル静止画像情報変換処理部、及び／もしくは、編集に係る文字情報をデータ形式の変更を含むフラッシュファイル生成可能な状態に変換するフラッシュファイル文字情報変換処理部、及び／もしくは、編集に係る動画像情報をリサイズ及びデータ形式の変更を含むフラッシュファイル生成可能な状態に変換するフラッシュファイル動画像情報変換処理部と、
前記変換された静止画像情報、文字情報及び動画像情報を含む各種情報のうち少なくとも１つを含む情報を基にフラッシュファイルを生成するフラッシュファイル生成処理部と、
ネットワークを介してユーザ端末の画面にウェブブラウザにてグラフィカルな操作表示を提供するフラッシュファイル操作画面表示処理部と、
ネットワークを介して静止画像情報、動画像情報及びフラッシュファイルを含む各種情報のうち少なくとも１つを含む情報の送受信をするフラッシュファイル通信部と
を具備し、
前記フラッシュファイル記憶装置は、
前記フラッシュファイル生成システムを使用するユーザに係る会員情報を記憶するフラッシュファイル会員情報記憶部と、
前記フラッシュファイル編集処理部により編集される静止画像情報、動画像情報及び楽曲情報を含む各種情報のうち少なくとも１つを含む素材に係る情報を記憶するフラッシュファイル編集素材記憶部と、
静止画像情報、文字情報、動画像情報及びスライドにかかる情報を含む各種情報のうち少なくとも１つを含む情報に付与するための特殊効果を記憶するフラッシュファイル特殊効果記憶部と、
前記フラッシュファイル生成処理部にて生成されたフラッシュファイルを記憶するフラッシュファイル記憶部と
を具備することを特徴とするフラッシュファイル生成システム。
【請求項２】
前記フラッシュファイル編集処理部は、
静止画像情報と静止画像情報または動画像情報との連結、及び、動画像情報と動画像情報との連結をさせるスライド連結機能と、
前記スライド連結機能により連結させる静止画像情報または動画像情報を追加及び／または削除するためのスライド追加削除機能と、
前記フラッシュファイル通信部を介してスライドに用いる静止画像情報または動画像情報に係る画像情報を送信（アップロード）するスライド画像情報送信（アップロード）機能と
を備えることを特徴とする請求項１記載のフラッシュファイル生成システム。
【請求項３】
前記フラッシュファイル編集処理部は、動画像情報のうち、所望の部分を抽出することができるフラッシュファイル動画像情報抽出機能をさらに備えることを特徴とする請求項１記載のフラッシュファイル生成システム。
【請求項４】
前記フラッシュファイル編集処理部は、
前記フラッシュファイル編集素材記憶部に記憶される静止画像情報を呼び出すフラッシュファイル静止画像情報呼出機能と、
前記呼び出された静止画像情報、前記スライド画像情報アップロード機能により送信（アップロード）された静止画像情報、スライド内に入力された文字情報の各種情報のうち少なくとも１つを含む情報及び／またはスライドにかかる情報に対して、前記フラッシュファイル特殊効果記憶部から読み出した各種特殊効果（エフェクト）を付与するフラッシュファイルエフェクト呼出付与機能と、
前記特殊効果（エフェクト）が付与された前記情報を所定の数値設定範囲内で時間差表示する時間差表示機能と、
全スライドに対して前記フラッシュファイル通信部を介して送信（アップロード）した静止画像情報を背景画像に設定する壁紙設定機能と、
編集に係る静止画像情報、文字情報及びスライドに係る情報に別の編集に係るスライドまたはウェブページのいずれかの位置情報を関連付けるリンク設定機能と、
生成に係るフラッシュファイルに対して、前記フラッシュファイル編集素材記憶部に記憶される楽曲情報のうちのいずれか１つを選択して付与するＢＧＭ設定機能と、
前記フラッシュファイルをフラッシュファイル記憶部に収納または該フラッシュファイル記憶部から呼び出しをするフラッシュファイル収納呼出機能と
をさらに備えることを特徴とする請求項２記載のフラッシュファイル生成システム。
【請求項５】
前記フラッシュファイルエフェクト呼出付与機能により付与される各種エフェクトが設定範囲内で重畳された状態において、前記フラッシュファイル生成処理部によるフラッシュファイル生成操作を可能とするフラッシュファイルエフェクト重畳付与機能
をさらに備えることを特徴とする請求項１記載のフラッシュファイル生成システム。
【請求項６】
前記フラッシュファイル編集処理部による編集対象の各種情報の映像時間、及び／もしくは、生成されたフラッシュファイルの単位数当りの保存容量は契約内容に応じて柔軟に設定変更可能とするフラッシュファイル容量設定変更機能
をさらに備えることを特徴とする請求項１記載のフラッシュファイル生成システム。
【請求項７】
前記フラッシュファイル編集処理部は、
前記フラッシュファイル記憶部に格納されるフラッシュファイルをネットワークを介してホームページに送信（アップロード）するためのタグ情報を生成するタグ情報生成機能と、
前記フラッシュファイルを前記フラッシュファイル記憶部から削除するフラッシュファイル削除機能と
をさらに備えることを特徴とする請求項１記載のフラッシュファイル生成システム。
【請求項８】
前記フラッシュファイル編集処理部は、生成されるフラッシュファイル等の容量を計算することができるフラッシュファイル容量計算機能をさらに備えることを特徴とする請求項１記載のフラッシュファイル生成システム。
【請求項９】
前記フラッシュファイル編集処理部は、前記フラッシュファイル容量計算機能による容量の判別結果を基に、携帯電話の画面に表示する操作制限を有したインタフェースを生成することができるフラッシュファイル操作制限加重機能をさらに備えることを特徴とする請求項８記載のフラッシュファイル生成システム。
【請求項１０】
前記フラッシュファイル操作画面表示処理部は、ユーザ端末の操作画面に表示される画面において、
各種情報を編集するためのフラッシュファイル操作ウィンドウと、
前記フラッシュファイル編集処理部に係るスライド連結機能、スライド追加削除機能及びスライド画像情報アップロード機能を作動させるための信号入力ボタンを有し、スライドの配列状況を視認するためのフラッシュファイルスライド配列表示帯と、
前記フラッシュファイル編集処理部に係るフラッシュファイル静止画像情報呼出機能、フラッシュファイルエフェクト呼出付与機能、時間差表示機能、壁紙設定機能、リンク設定機能、ＢＧＭ設定機能及びフラッシュファイル情報収納機能の少なくともいずれかを作動させるためのフラッシュファイル編集エディタと、
前記フラッシュファイル編集処理部に係るタグ情報生成機能及びフラッシュファイル削除機能を作動させるための信号入力ボタンを有し、編集に係るフラッシュファイルを選択するためのフラッシュファイル選択帯と
を表示させるフラッシュファイル操作画面表示機能
をさらに備えることを特徴とする請求項１記載のフラッシュファイル生成システム。
【請求項１１】
前記フラッシュファイル操作画面表示機能は、フラッシュファイル編集処理部に係るフラッシュファイル動画像情報抽出機能を作動させるためのフラッシュファイル動画像情報抽出帯をさらに備えることを特徴とする請求項１０記載のフラッシュファイル生成システム。
【請求項１２】
前記フラッシュファイル操作画面表示処理部は、特にユーザ端末が携帯電話であって、テンキー操作で画面展開をしたりカーソルを移動させたり、携帯電話画面に表示される静止画像情報等の配置とテンキーの配置とを合わせることでユーザインターフェースを構成するテンキー操作機能をさらに備えることを特徴とする請求項１０記載のフラッシュファイル生成システム。
【請求項１３】
フラッシュファイル生成と連携可能であるように適合されたウェブ上で画像情報を編集するオリジナル画像情報生成システムであって、該オリジナル画像情報生成システムはオリジナル画像情報管理装置及びオリジナル画像情報記憶装置を具備して構成され、
前記オリジナル画像情報管理装置は、
画像情報及び文字情報を含む各種情報のうち少なくとも１つを含む情報を編集するオリジナル画像情報編集処理部と、
編集に係る画像情報をリサイズ及びデータ形式の変更を含むオリジナル画像情報生成可能な状態に変換するオリジナル画像情報静止画像情報変換処理部と、
編集に係る文字情報をデータ形式の変更を含むオリジナル画像情報生成可能な状態に変換するオリジナル画像情報文字情報変換処理部と、
前記編集に係る画像情報及び文字情報を含む各種情報のうち少なくとも１つを含む情報を基にオリジナル画像情報を生成するオリジナル画像情報生成処理部と、
ネットワークを介してユーザ端末の画面にウェブブラウザにてグラフィカルな操作表示を提供するオリジナル画像情報編集操作画面表示処理部と、
ネットワークを介して編集に係る画像情報を含む情報の送受信をするオリジナル画像情報通信部と
を具備し、
前記オリジナル画像情報記憶装置は、
前記画像情報編集システムを使用するユーザに係る会員情報を記憶するオリジナル画像情報編集会員情報記憶部と、
前記編集素材に特殊な効果を付与するためのオリジナル画像情報特殊効果記憶部と
を具備することを特徴とするオリジナル画像情報生成システム。
【請求項１４】
前記オリジナル画像情報編集処理部は、
前記オリジナル画像情報通信部を介して編集する画像情報に係る画像情報を送信（アップロード）するオリジナル画像情報アップロード機能と、
前記送信（アップロード）された画像情報上にさらに送信（アップロード）を含む処理に係る画像情報を重複させるように適合されたオリジナル画像情報合成機能と、
前記送信（アップロード）された画像に対して、前記画像情報特殊効果記憶部から読み出した各種画像特殊効果（静止画像情報エフェクト）を付与するオリジナル画像情報エフェクト呼出付与機能と
を備えることを特徴とする請求項１３記載のオリジナル画像情報生成システム。
【請求項１５】
前記オリジナル画像情報編集操作画面表示処理部は、ユーザ端末の操作画面に表示される画面において、
画像情報を編集するためのオリジナル画像情報編集操作ウィンドウと、
前記オリジナル画像情報アップロード機能を作動させるための信号入力ボタンを有し、編集に係る画像情報を視認するためのオリジナル画像情報表示帯と、
前記オリジナル画像情報エフェクト呼出付与機能を作動させるためのオリジナル画像情報編集エディタと
を表示するオリジナル画像情報編集操作画面表示機能
をさらに備えることを特徴とする請求項１４記載のオリジナル画像情報生成システム。
【請求項１６】
前記オリジナル画像情報通信部は、前記オリジナル画像情報生成処理部により生成されたオリジナル画像情報に対して、フラッシュファイル生成対象の画像情報として利用可能とするために転送を含む処理を行うオリジナル画像情報転送機能
をさらに備えることを特徴とする請求項１３記載のオリジナル画像情報生成システム。
【発明の詳細な説明】
【技術分野】
【０００１】
本発明は、たとえばフラッシュファイル生成システム及びオリジナル画像情報生成システムに係り、特にウェブ上或いは携帯電話、携帯端末等の情報通信機器を介してフラッシュファイルを生成するためのフラッシュファイル生成システム及びオリジナル画像情報生成システムに関する。
【背景技術】
【０００２】
従来、ユーザはあらゆる手段により画像情報を入手している。例えば、デジタルカメラ等で撮影したり、書物等をスキャナーで取り込んだりすることにより静止画像情報を入手し、デジタルビデオカメラ等によって撮影することにより動画像情報を入手している。画像情報は閲覧のみに使用される場合もあるが、ユーザはオリジナリティを醸し出すために画像情報に何かしらの細工（例えば、文字情報入力やエフェクト付与）を加える場合も多い。このような場合には画像情報を編集するためのライセンス無償のアプリケーションも存在するが、より高度な技術により加工を施すためにはライセンス有償の専用アプリケーション（例えば、アドビ社の「フォトショップ（登録商標）」や「フラッシュ（登録商標）」）を利用することが好ましい。これによりユーザはデザイン性を有する画像情報を編集したり生成したりすることが可能となる。特に動画像情報においては、フラッシュを利用して生成したフラッシュファイルをフラッシュプレイヤー（登録商標）にて再生する方法が主流になっている。フラッシュプレイヤーはライセンス無償提供されており、他の再生用アプリケーションよりも機能が優れているからである。しかし、このような専用アプリケーションを利用する場合、ユーザ端末に専用アプリケーションをインストールする必要がある。また一般に専用アプリケーションは安価ではなく、バージョンアップもありうるため常に最新の技術を利用するということは容易ではない。【０００３】
一方、インターネットの普及に伴い、専用アプリケーションをインストールすることなく利用可能なアプリケーションサービスプロバイダ方式が活用されるようになっている。アプリケーションサービスプロバイダ方式を利用する場合はインターネットとの接続が必須であり、サービスを提供する会社からライセンスを購入しなければならないが、アプリケーションに対するメンテナンスが不要であり、バージョンアップの影響も受けないという点で有益である。【０００４】
そうした中にあって、例えば特開２００５−４５７５７号公報（特許文献１）や特開２００５−８４９８７号公報（特許文献２）に見られるように、アプリケーションサービスプロバイダ方式によってウェブ上にて文字情報入力やエフェクト付与に係る動画像情報を生成可能とする改善がなされている。しかしこれら従来技術ではフラッシュプレイヤーに対応したフラッシュファイルを生成したい場合には適用することができなかった。【０００５】
また、例えば特開２００７−６６３０３号公報（特許文献３）に見られるように、ウェブ上にてフラッシュファイルを生成可能とする改善がなされている。しかしこの従来技術ではグラフィカルな操作画面機能に乏しく、オリジナリティを醸し出しデザイン性を有するフラッシュファイルを生成したい場合には適用することができなかった。
【特許文献１】特開２００５−４５７５７号公報
【特許文献２】特開２００５−８４９８７号公報
【特許文献３】特開２００７−６６３０３号公報ム
【発明の開示】
【発明が解決しようとする課題】
【０００６】
上述したように、これまでのオンライン動画像情報生成システムは、フラッシュファイル以外を生成するものであったり、フラッシュファイルの生成機能に乏しかったりするものであったため、専用アプリケーションをインストールする以外にユーザがオリジナリティを醸し出すフラッシュファイルを生成したい場合は適用することができなかった。
【課題を解決するための手段】
【０００７】
本発明は上記の従来技術の問題を解決するためになされたもので、ウェブ上或いは携帯電話、携帯端末等の情報通信機器を介してフラッシュファイル生成及びオリジナル画像情報編集を実現することで、ユーザ（例えば、個人ユーザや企業内ユーザ等）がシステムのメンテナンスやソフトウェアのバージョンアップ等を考慮することなく、かつ専門クリエイターの有する技術を必要とすることなく、常に最新技術でクオリティの高い汎用性を有する動画像情報及び静止画像情報の生成を可能とするフラッシュファイル生成システム及びオリジナル画像情報生成システムを提供することを目的とする。本発明の更なる目的は、個人ユーザの場合は私生活の充実化を図り、企業内ユーザの場合はビジネスチャンスの拡充を狙いとすることである。【０００８】
かかる課題を解決するため、本発明は、ウェブ上でフラッシュファイルにかかる画像情報を生成するフラッシュファイル生成システムであって、該フラッシュファイル生成システムはフラッシュファイル管理装置及びフラッシュファイル記憶装置を具備して構成され、前記フラッシュファイル管理装置は、静止画像情報、文字情報、動画像情報、スライドにかかる情報の各種情報のうち少なくとも１つを含む情報を編集するフラッシュファイル編集処理部と、編集に係る静止画像情報をリサイズ及びデータ形式の変更を含むフラッシュファイル生成可能な状態に変換するフラッシュファイル画像情報変換処理部、及び／もしくは、編集に係る文字情報をデータ形式の変更を含むフラッシュファイル生成可能な状態に変換するフラッシュファイル文字情報変換処理部、及び／もしくは、編集に係る動画像情報をリサイズ及びデータ形式の変更を含むフラッシュファイル生成可能な状態に変換するフラッシュファイル動画像情報変換処理部と、前記変換された静止画像情報、文字情報及び動画像情報を含む各種情報のうち少なくとも１つを含む情報を基にフラッシュファイルを生成するフラッシュファイル生成処理部と、ネットワークを介してユーザ端末の画面にウェブブラウザにてグラフィカルな操作表示を提供するフラッシュファイル操作画面表示処理部と、ネットワークを介して静止画像情報、動画像情報及びフラッシュファイルを含む各種情報のうち少なくとも１つを含む情報の送受信をするフラッシュファイル通信部とを具備し、前記フラッシュファイル記憶装置は、前記フラッシュファイル生成システムを使用するユーザに係る会員情報を記憶するフラッシュファイル会員情報記憶部と、前記フラッシュファイル編集処理部により編集される静止画像情報、動画像情報及び楽曲情報を含む各種情報のうち少なくとも１つを含む素材に係る情報を記憶するフラッシュファイル編集素材記憶部と、静止画像情報、文字情報、動画像情報及びスライドにかかる情報を含む各種情報のうち少なくとも１つを含む情報に付与するための特殊効果を記憶するフラッシュファイル特殊効果記憶部と、前記フラッシュファイル生成処理部にて生成されたフラッシュファイルを記憶するフラッシュファイル記憶部とを具備する。【０００９】
このように構成することで、ユーザ端末とフラッシュファイルサーバとの間で、フラッシュファイル編集処理部にてフラッシュファイル生成の基となる静止画像情報や文字情報や動画像情報やスライドに係る情報の編集を行い、編集にかかる静止画像情報をフラッシュファイルに適合するように、フラッシュファイル管理装置（フラッシュファイルサーバ）にかかるフラッシュファイル静止画像情報変換処理部（イメージコンバータ）にて所定の処理により静止画像情報サイズの変更（リサイズ）やデータ形式の変更（ＪＰＥＧ）にかかる変換を行い、フラッシュファイル文字情報変換処理部（テキストコンバータ）にて所定の処理によりデータ形式の変更（ＪＰＥＧ）に係る変換を行い、フラッシュファイル動画像情報変換処理部（ビデオコンバータ）にて所定の処理により動画像サイズの変更（リサイズ）やデータ形式の変更（ＦＬＶ）に係る変換を行い、変換後の各種情報をフラッシュファイル生成処理部（ジェネレータ）にて所定の処理により結合してフラッシュファイル（ＳＷＦ）を生成する一連の作業を、フラッシュファイル操作画面表示処理部にてネットワークを介してウェブブラウザによりユーザ端末の画面に表示される操作画面上での操作で実現させるので、ユーザはフラッシュファイル生成に係るシステム構築を行う必要もなくユーザの都合に合わせて幅広く活用することができる。【００１０】
なお、フラッシュライル生成処理部（ジェネレータ）では、フラッシュファイル（ＳＷＦ）の他、ＶＧＴファイル、ＰＮＧファイル等を生成することができる。【００１１】
また、このとき、フラッシュファイルデータベースに係るフラッシュファイル会員情報記憶部に格納される会員情報にひも付けられてフラッシュファイル編集素材記憶部に格納される素材またはフラッシュファイル特殊効果記憶部に格納される特殊効果を利用してフラッシュファイルを生成し、このようにして生成されたフラッシュファイルはフラッシュファイル記憶部に格納されることになるので、ユーザはフラッシュファイルの生成過程におけるデータ管理を行う必要もなく、信頼性の高いセキュリティ環境が実現される。【００１２】
フラッシュファイル編集処理部、フラッシュファイル静止画像情報変換処理部（イメージコンバータ）、フラッシュファイル文字情報変換処理部（テキストコンバータ）、フラッシュファイル動画像情報変換処理部（ビデオコンバータ）、フラッシュファイル生成処理部（ジェネレータ）及びフラッシュファイル操作画面表示処理部を含む各種機能を実現するプログラム、ソフトウェア、かかるソフトを実行可能形式にして記録媒体に搭載したもの、ＲＯＭ、アルゴリズムを電子回路化したものを含んで実現されてもよい。【００１３】
また本発明にかかるフラッシュファイル編集処理部は、静止画像情報と静止画像情報または動画像情報との連結、及び、動画像情報と動画像情報との連結をさせるスライド連結機能と、スライド連結機能により連結させる静止画像情報または動画像情報を追加及び／または削除するためのスライド追加削除機能と、フラッシュファイル通信部を介してスライドに用いる静止画像情報または動画像情報にかかる画像情報を送信（アップロード）するスライド画像情報送信（アップロード）機能とをさらに備えることを特徴とする。【００１４】
かかる機能を備える本発明によれば、ユーザはウェブ上での操作にて自己が所有するオリジナルの静止画像情報と静止画像情報または動画像情報との連結、及び、動画像情報と動画像情報との連結及び削除を可能とするので、より自由度の高いフラッシュファイルの生成が実現される。【００１５】
さらに、フラッシュファイル編集処理部は、動画像情報のうち、所望の部分を抽出することができるフラッシュファイル動画像情報抽出機能をさらに備えることを特徴とする。【００１６】
また、フラッシュファイル動画像情報抽出機能により、一つのファイルとして形成される動画像情報のうち、ユーザが必要としている場面の映像を抜粋することができ、抜粋した映像に係る動画像情報と他の動画像情報とを連結されることもできるため、さらにユーザはより自由度の高いフラッシュファイルの生成を実現させることができる。【００１７】
ここで、送信（アップロード）される静止画像情報には、ＡＲＴ、ＡＶＩ、ＡＶＳ、ＢＭＰ、ＣＧＭ、ＣＩＮ、ＣＭＹＫ、ＣＭＹＫＡ、ＣＲ２、ＣＲＷ、ＣＵＲ、ＣＵＴ、ＤＣＭ、ＤＣＲ、ＤＣＸ、ＤＩＢ、ＤＪＶＵ、ＤＮＧ、ＤＯＴ、ＤＰＸ、ＥＭＦ、ＥＰＤＦ、ＥＰＩ、ＥＰＳ、ＥＰＳ２、ＥＰＳ３、ＥＰＳＦ、ＥＰＳＩ、ＥＰＴ、ＥＸＲ、ＦＡＸ、ＦＩＧ、ＦＩＴＳ、ＦＰＸ、ＧＩＦ、ＧＰＬＴ、ＧＲＡＹ、ＨＰＧＬ、ＨＴＭＬ、ＩＣＯ、ＩＮＦＯ、ＪＢＩＧ、ＪＮＧ、ＪＰ２、ＪＰＣ、ＪＰＥＧ、ＭＡＮ、ＭＡＴ、ＭＩＦＦ、ＭＯＮＯ、ＭＮＧ、ＭＰＥＧ、Ｍ２Ｖ、ＭＰＣ、ＭＲＷ、ＭＳＬ、ＭＴＶ、ＭＶＧ、ＮＥＦ、ＯＲＦ、ＯＴＢ、Ｐ７、ＰＡＬＭ、ＰＡＭ、ＰＢＭ、ＰＣＤ、ＰＣＤＳ、ＰＣＬ、ＰＣＸ、ＰＤＢ、ＰＤＦ、ＰＥＦ、ＰＦＡ、ＰＦＢ、ＰＦＭ、ＰＧＭ、ＰＩＣＯＮ、ＰＩＣＴ、ＰＩＸ、ＰＮＧ、ＰＮＭ、ＰＰＭ、ＰＳ、ＰＳ２、ＰＳ３、ＰＳＤ、ＰＴＩＦ、ＰＷＰ、ＲＡＤ、ＲＡＦ、ＲＧＢ、ＲＧＢＡ、ＲＬＡ、ＲＬＥ、ＳＣＴ、ＳＦＷ、ＳＧＩ、ＳＨＴＭＬ、ＳＵＮ、ＳＶＧ、ＴＧＡ、ＴＩＦＦ等のデータ形式を含む。【００１８】
また、送信（アップロード）される動画像情報には、ＭＰＥＧ  ａｕｄｉｏ、ＭＰＥＧ−１  ｓｙｓｔｅｍｓ、ＭＰＥＧ−２  ＰＳ、ＭＰＥＧ−２  ＴＳ、ＡＳＦ、ＡＶＩ、ＷＡＶ、Ｍａｃｒｏｍｅｄｉａ  Ｆｌａｓｈ、ＦＬＶ、Ｒｅａｌ  Ａｕｄｉｏ  ａｎｄ  Ｖｉｄｅｏ、Ｒａｗ  ＡＣ３、Ｒａｗ  ＭＪＰＥＧ、Ｒａｗ  ＭＰＥＧ  ｖｉｄｅｏ、Ｒａｗ  ＰＣＭ８／１６  ｂｉｔｓ、ｍａｌａｗ／Ａｌａｗ、Ｒａｗ  ＣＲＩ  ＡＤＸ
ａｕｄｉｏ、Ｒａｗ  Ｓｈｏｒｔｅｎ  ａｕｄｉｏ、ＳＵＮ  ＡＵ  Ｆｏｒｍａｔ、ＮＵＴ、ＱｕｉｃｋＴｉｍｅ、ＭＰＥＧ−４、Ｒａｗ  ＭＰＥＧ４  Ｖｉｄｅｏ、ＤＶ、４ｘｍ、Ｐｌａｙｓｔａｔｉｏｎ  ＳＴＲ、Ｉｄ  ＲｏＱ、Ｉｎｔｅｒｐｌａｙ  ＭＶＥ、ＷＣ３  Ｍｏｖｉｅ、Ｓｅｇａ  ＦＩＬＭ／ＣＰＫ、Ｗｅｓｔｗｏｏｄ  Ｓｔｕｄｉｏｓ  ＶＱＡ／ＡＵＤ、Ｉｄ  Ｃｉｎｅｍａｔｉｃ（．ｃｉｎ）、ＦＬＩＣ  ｆｏｒｍａｔ、Ｓｉｅｒｒａ  ＶＭＤ、Ｓｉｅｒｒａ  Ｏｎｌｉｎｅ、Ｍａｔｒｏｓｋａ、Ｅｌｅｃｔｒｏｎｉｃ  Ａｒｔｓ  Ｍｕｌｔｉｍｅｄｉａ、Ｎｕｌｌｓｏｆｔ  Ｖｉｄｅｏ（ＮＳＶ）  ｆｏｒｍａｔ、ＡＤＴＳ  ＡＡＣ  ａｕｄｉｏ、Ｃｒｅａｔｉｖｅ  ＶＯＣ、Ａｍｅｒｉｃａｎ  Ｌａｓｅｒ  Ｇａｍｅｓ  ＭＭ、ＡＶＳ、Ｓｍａｃｋｅｒ，ＧＸＦ、ＣＩＮ、ＭＸＦ、ＳＥＱ、ＤＸＡ、ＴＨＰ、Ｃ９３、Ｂｅｔｈｓｏｆｔ  ＶＩＤ、ＣＲＹＯ  ＡＰＣ等のデータ形式を含む。【００１９】
また、本発明に係るフラッシュファイル編集処理部は、前記フラッシュファイル編集素材記憶部に記憶される静止画像情報を呼び出すフラッシュファイル静止画像情報呼出機能と、前記呼び出された静止画像情報、前記スライド画像情報アップロード機能により送信（アップロード）された静止画像情報、スライド内に入力された文字情報の各種情報のうち少なくとも１つを含む情報及び／またはスライドにかかる情報に対して、前記フラッシュファイル特殊効果記憶部から読み出した各種特殊効果（エフェクト）を付与するフラッシュファイルエフェクト呼出付与機能と、前記特殊効果（エフェクト）が付与された前記情報を所定の数値設定範囲内で時間差表示する時間差表示機能と、全スライドに対して前記フラッシュファイル通信部を介して送信（アップロード）した静止画像情報を背景画像に設定する壁紙設定機能と、編集に係る静止画像情報、文字情報及びスライドに係る情報に別の編集に係るスライドまたはウェブページのいずれかの位置情報を関連付けるリンク設定機能と、生成に係るフラッシュファイルに対して、前記フラッシュファイル編集素材記憶部に記憶される楽曲情報のうちのいずれか１つを選択して付与するＢＧＭ設定機能と、前記フラッシュファイルをフラッシュファイル記憶部に収納または該フラッシュファイル記憶部から呼び出しをするフラッシュファイル収納呼出機能とをさらに備えることを特徴とする。【００２０】
かかる機能を備える本発明によれば、ユーザはウェブ上での操作にて、フラッシュファイルエフェクト呼出付与機能によってフラッシュファイルデータベースに当初から格納されている無償の静止画像情報の利用が可能であり、フラッシュファイルエフェクト呼出付与機能、時間差表示機能、壁紙設定機能、リンク設定機能及びＢＧＭ設定機能を含む各種機能によって専門デザイナーが作成したかのようなフラッシュファイルの生成が実現され、フラッシュファイル収納機能によって安全なデータ管理が実現される。【００２１】
ここで、フラッシュファイル静止画像情報呼出機能により呼び出されるフラッシュファイル編集素材記憶部に記憶される静止画像情報とは、例えば、海外の景色、自然、季節、テクスチャ、建物、国内の風景、ＣＧ、静物、フード、クラフト、行事・イベント、スポーツ、人物、社会、動物、デザイン、乗り物等に関連する静止画像情報の各種情報を含む。また、フラッシュファイルエフェクト呼出付与機能により付与されるエフェクトとは、例えば、静止画像に付与する色合い、ストロボ、ゆっくり動かす等を含むイメージエフェクトや、文字情報に付与するスポット（そよ風のような動き等）、リピート（回転させるような動き等）を含むテキストエフェクトや、スライドにかかる情報に付与するシーン（濃霧のような効果等）、ドロップ（雨のような効果等）、カラー（各色を浮かび上がらせるような効果等）、シーズンエフェクト（クリスマスのような効果等）を含むシーンエフェクト、カバー（スライドが上から降りてくるような効果等）、リビール（スライドが下に落ちていくような効果等）、プレス（スライドを下に押しつぶすような効果等）、ズーム（スライドが中央から次第に拡大していくような効果等）、フェードスルー（スライドに透明色を含む各色を覆い被せるような効果等）、シーズンエフェクト（クリスマスの模様を覆い被せるような効果等）、スペシャル（消しゴムで静止画像等を消してしまうような効果等）を含む切替エフェクト、絵文字、飾り系、キャラクター、ステッカー、ビジネスに関連する静止画像情報または動画像情報を含むアイテムエフェクトに係る各種情報を含む。【００２２】
またＢＧＭ設定機能により設定されるＢＧＭとは、例えば、ヒーリング、フュージョン、オーケストラ、ジャズ等に関連する楽曲情報の各種情報を含む。【００２３】
また、上記構成においては、前記フラッシュファイルエフェクト呼出付与機能により付与される各種エフェクトが設定範囲内で重畳された状態において、前記フラッシュファイル生成処理部によるフラッシュファイル生成操作を可能とするフラッシュファイルエフェクト重畳付与機能をさらに備えるような構成としてもよい。【００２４】
かかる機能をさらに備えれば、エフェクトを重ね合わせることが可能であり、設定範囲内であればユーザの希望に即したフラッシュファイル生成が実現される。【００２５】
また、上記構成においては、前記フラッシュファイル編集処理部による編集対象の各種情報の映像時間、及び／もしくは、生成されたフラッシュファイルの単位数当りの保存容量は契約内容に応じて柔軟に設定変更可能とするフラッシュファイル容量設定変更機能をさらに備えるような構成としてもよい。【００２６】
かかる機能をさらに備えれば、ユーザは状況に応じて生成するフラッシュファイルの容量を任意に決定可能となり、フレキシブルに最終的なフラッシュファイルの設定変更が実現される。【００２７】
また、上記構成においては、前記フラッシュファイル編集処理部は、前記フラッシュファイル記憶部に格納されるフラッシュファイルをネットワークを介してホームページに送信（アップロード）するためのタグ情報を生成するタグ情報生成機能と、前記フラッシュファイルを前記フラッシュファイル記憶部から削除するフラッシュファイル削除機能とをさらに備える構成とすることもできる。【００２８】
かかる機能をさらに備えれば、タグ情報生成機能やフラッシュファイル削除機能により生成したフラッシュファイルをホームページにアップロードすることが可能となり、ユーザは単にフラッシュファイルを生成して閲覧を楽しむだけでなくネットワークを介して公衆にフラッシュファイルを利用した自己表現を容易にすることが実現される。【００２９】
また、本発明に係るフラッシュファイル編集処理部は、生成されるフラッシュファイル等の容量を計算することができるフラッシュファイル容量計算機能をさらに備えることを特徴とする。【００３０】
かかる機能を備える本発明によれば、受信容量が制限されている携帯電話等を端末とした場合、フラッシュファイル容量計算機能により生成するフラッシュファイルの容量を計算し、容量制限内であるか容量制限外であるかの判別することが実現される。【００３１】
また、本発明に係るフラッシュファイル編集処理部は、フラッシュファイル容量計算機能による容量の判別結果を基に、携帯電話の画面に表示する操作制限を有したインタフェースを生成することができるフラッシュファイル操作制限加重機能をさらに備えたことを特徴とする。【００３２】
かかる機能を備える本発明によれば、受信容量を超えてしまう静止画像情報やエフェクトの付与をすることを防ぐことができる。【００３３】
また、前記フラッシュファイル操作画面表示処理部は、ユーザ端末の操作画面に表示される画面において、各種情報を編集するためのフラッシュファイル操作ウィンドウと、前記フラッシュファイル編集処理部に係るスライド連結機能、スライド追加削除機能及びスライド画像情報アップロード機能を作動させるための信号入力ボタンを有し、スライドの配列状況を視認するためのフラッシュファイルスライド配列表示帯と、前記フラッシュファイル編集処理部に係るフラッシュファイル静止画像情報呼出機能、フラッシュファイルエフェクト呼出付与機能、時間差表示機能、壁紙設定機能、リンク設定機能、ＢＧＭ設定機能及びフラッシュファイル情報収納機能の少なくともいずれかを作動させるためのフラッシュファイル編集エディタと、前記フラッシュファイル編集処理部に係るタグ情報生成機能及びフラッシュファイル削除機能を作動させるための信号入力ボタンを有し、編集に係るフラッシュファイルを選択するためのフラッシュファイル選択帯とを表示させるフラッシュファイル操作画面表示機能をさらに備える構成とすることもできる。【００３４】
かかる機能を備える本発明によれば、ユーザはウェブ上での操作にてフラッシュファイル操作ウィンドウを立ち上げ、フラッシュファイル操作ウィンドウ内に表示されるスライド配列表示帯にてフラッシュファイルのスライドの配列状況を確認することが可能となり、フラッシュファイル編集エディタにてフラッシュファイルを生成するための編集操作が可能となり、フラッシュファイル選択帯にて格納されているフラッシュファイルの呼び出しが可能となり、ユーザによる特別なコマンド入力や設定を必要としないグラフィカルな操作性の向上が実現される。【００３５】
このとき、フラッシュファイル操作画面表示機能は、フラッシュファイル編集処理部に係るフラッシュファイル動画像情報抽出機能を作動させるためのフラッシュファイル動画像情報抽出帯をさらに備えるようにしてもよい。【００３６】
この構成によれば、フラッシュファイル動画像情報抽出帯により、例えば、動画像情報の再生時間情報が表示されている部分において、抽出したい所望の映像の開始時と終了時とをカーソル操作でクリック（マーキング）することで、所望の映像を抽出することができる。【００３７】
また、このとき、フラッシュファイル操作画面表示処理部は、特にユーザ端末が携帯電話であって、テンキー操作で画面展開をしたりカーソルを移動させたり、携帯電話画面に表示される静止画像情報等の配置とテンキーの配置とを合わせることでユーザインターフェースを構成するテンキー操作機能をさらに備えるようにしてもよい。【００３８】
この構成によれば、テンキー操作機能により、携帯電話のテンキーを押すことで、例えば、画面切替、カーソル移動、挿入する静止画像情報や文字情報の移動、選択、決定及びその他ファイル生成するために必要な操作は全てテンキーで行うことができるため、ユーザは特別な操作を熟知することなく、所望のフラッシュファイル、ＶＧＴファイル、或いはＰＮＧファイルを生成し、電子メールとして他のユーザへ配信することができる。【００３９】
また、上記課題を解決するため、さらに別の形態の本発明は、フラッシュファイル生成と連携可能であるように適合されたウェブ上で画像情報を編集するオリジナル画像情報生成システムであって、当該オリジナル画像情報生成システムはオリジナル画像情報管理装置及びオリジナル画像情報記憶装置を具備して構成され、前記オリジナル画像情報管理装置は、画像情報及び文字情報を含む各種情報のうち少なくとも１つを含む情報を編集するオリジナル画像情報編集処理部と、編集に係る画像情報をリサイズ及びデータ形式の変更を含むオリジナル画像情報生成可能な状態に変換するオリジナル画像情報静止画像情報変換処理部と、編集に係る文字情報をデータ形式の変更を含むオリジナル画像情報生成可能な状態に変換するオリジナル画像情報文字情報変換処理部と、前記編集に係る画像情報及び文字情報を含む各種情報のうち少なくとも１つを含む情報を基にオリジナル画像情報を生成するオリジナル画像情報生成処理部と、ネットワークを介してユーザ端末の画面にウェブブラウザにてグラフィカルな操作表示を提供するオリジナル画像情報編集操作画面表示処理部と、ネットワークを介して編集に係る画像情報を含む情報の送受信をするオリジナル画像情報通信部とを具備し、前記オリジナル画像情報記憶装置は、前記画像情報編集システムを使用するユーザに係る会員情報を記憶するオリジナル画像情報編集会員情報記憶部と、前記編集素材に特殊な効果を付与するためのオリジナル画像情報特殊効果記憶部とを具備する。【００４０】
このように構成することで、ユーザ端末とオリジナル画像情報サーバとの間で、オリジナル画像情報編集処理部にて（静止・動画）画像情報や文字情報の編集を行い、編集に係る画像情報をオリジナル画像情報に適合するように、オリジナル画像管理装置（オリジナル画像情報サーバ）に係るオリジナル画像情報静止画像情報変換処理部にて所定の処理により画像サイズの変更（リサイズ）やデータ形式の変更（ＪＰＥＧ）に係る変換を行い、オリジナル画像情報文字情報変換処理部にて所定の処理によりデータ形式の変更（ＪＰＥＧ）に係る変換を行い、編集後の各種情報を前記オリジナル画像情報生成処理部にて所定の処理により結合してオリジナル静止画像情報（ＪＰＥＧ）を生成する一連の作業を、オリジナル操作画面表示処理部にてネットワークを介してウェブブラウザによりユーザ端末の画面に表示される操作画面上での操作で実現させるので、手軽に生成したオリジナルの画像情報を素材としてフラッシュファイルの生成を行うことができることとなり、結局、個人ユーザの枠を超えて企業内ユーザの早急な経営企画戦略立案の場面等、さらに幅広く活用することができる。【００４１】
これらオリジナル画像情報編集処理部、オリジナル画像情報変換処理部、オリジナル画像情報文字情報変換処理部、オリジナル画像情報生成処理部、オリジナル画像情報編集操作画面表示処理部は、各種機能を実現するプログラム、ソフトウェア、かかるソフトを実行可能形式にして記録媒体に搭載したもの、ＲＯＭ、アルゴリズムを電子回路化したものとして実現されてもよい。【００４２】
また、上記構成において、前記オリジナル画像情報編集処理部は、前記オリジナル画像情報通信部を介して編集する画像情報に係る画像情報を送信（アップロード）するオリジナル画像情報アップロード機能と、前記送信（アップロード）された画像情報上にさらに送信（アップロード）を含む処理に係る画像情報を重複させるように適合されたオリジナル画像情報合成機能と、前記送信（アップロード）された画像に対して、前記画像情報特殊効果記憶部から読み出した各種画像特殊効果（画像情報エフェクト）を付与するオリジナル画像情報エフェクト呼出付与機能とを備える構成とすることもできる。【００４３】
かかる機能を備える本発明によれば、ユーザはウェブ上での操作にて、画像情報アップロード機能によってユーザが所持する画像情報を編集対象とすることが可能となり、オリジナル画像情報合成機能によって各種画像情報の自由な組合せが可能となり、オリジナル画像情報エフェクト呼出付与機能よって専門デザイナーが作成したかのようなオリジナル画像の編集が実現される。【００４４】
ここで、送信（アップロード）される画像情報のうちたとえば静止画像情報には、ＡＲＴ、ＡＶＩ、ＡＶＳ、ＢＭＰ、ＣＧＭ、ＣＩＮ、ＣＭＹＫ、ＣＭＹＫＡ、ＣＲ２、ＣＲＷ、ＣＵＲ、ＣＵＴ、ＤＣＭ、ＤＣＲ、ＤＣＸ、ＤＩＢ、ＤＪＶＵ、ＤＮＧ、ＤＯＴ、ＤＰＸ、ＥＭＦ、ＥＰＤＦ、ＥＰＩ、ＥＰＳ、ＥＰＳ２、ＥＰＳ３、ＥＰＳＦ、ＥＰＳＩ、ＥＰＴ、ＥＸＲ、ＦＡＸ、ＦＩＧ、ＦＩＴＳ、ＦＰＸ、ＧＩＦ、ＧＰＬＴ、ＧＲＡＹ、ＨＰＧＬ、ＨＴＭＬ、ＩＣＯ、ＩＮＦＯ、ＪＢＩＧ、ＪＮＧ、ＪＰ２、ＪＰＣ、ＪＰＥＧ、ＭＡＮ、ＭＡＴ、ＭＩＦＦ、ＭＯＮＯ、ＭＮＧ、ＭＰＥＧ、Ｍ２Ｖ、ＭＰＣ、ＭＲＷ、ＭＳＬ、ＭＴＶ、ＭＶＧ、ＮＥＦ、ＯＲＦ、ＯＴＢ、Ｐ７、ＰＡＬＭ、ＰＡＭ、ＰＢＭ、ＰＣＤ、ＰＣＤＳ、ＰＣＬ、ＰＣＸ、ＰＤＢ、ＰＤＦ、ＰＥＦ、ＰＦＡ、ＰＦＢ、ＰＦＭ、ＰＧＭ、ＰＩＣＯＮ、ＰＩＣＴ、ＰＩＸ、ＰＮＧ、ＰＮＭ、ＰＰＭ、ＰＳ、ＰＳ２、ＰＳ３、ＰＳＤ、ＰＴＩＦ、ＰＷＰ、ＲＡＤ、ＲＡＦ、ＲＧＢ、ＲＧＢＡ、ＲＬＡ、ＲＬＥ、ＳＣＴ、ＳＦＷ、ＳＧＩ、ＳＨＴＭＬ、ＳＵＮ、ＳＶＧ、ＴＧＡ、ＴＩＦＦ等のデータ形式を含む。【００４５】
また、ここで、オリジナル画像情報エフェクト呼出付与機能により付与されるエフェクトとは、例えば、オリジナル画像情報に付与するセピア、シャープ、グレースケール、グロー等の色合いに関する効果や、ブライトネス、コントラスト等の明暗に関する効果や、オリジナル画像情報の局部に付与可能とするモザイク、ぼかし、ペン、ブラッシュ等に関する効果や、オリジナル画像情報の一部切り取りに関する効果や、記号（矢印等）、動物（熊等）、昆虫（蝶々等）、楽器（ラッパ等）、その他（音符、月、帽子等）関連する静止画像情報に関する効果や、角の丸め、角のぎざぎざ、影を有する等のオリジナル静止画像情報にかかる縁取りに関する効果等の各種情報を含む。【００４６】
また、上記構成において、前記オリジナル画像情報編集操作画面表示処理部は、ユーザ端末の操作画面に表示される画面において、画像情報を編集するためのオリジナル画像情報編集操作ウィンドウと、前記オリジナル画像情報アップロード機能を作動させるための信号入力ボタンを有し、編集に係る画像情報を視認するためのオリジナル画像情報表示帯と、前記オリジナル画像情報エフェクト呼出付与機能を作動させるためのオリジナル画像情報編集エディタとを表示するオリジナル画像情報編集操作画面表示機能をさらに備える構成とすることもできる。【００４７】
かかる機能を備える本発明によれば、ユーザはウェブ上での操作にてオリジナル画像情報編集操作ウィンドウを立ち上げ、オリジナル画像情報編集操作ウィンドウ内に表示されるオリジナル画像情報表示帯にて１つ以上の編集に係る画像を視認することが可能となり、オリジナル画像情報編集エディタにてオリジナル画像情報編集のための編集操作が可能となり、ユーザによる特別なコマンド入力や設定を必要としないグラフィカルな操作性の向上が実現される。【００４８】
また、上記構成において、前記オリジナル画像情報通信部は、前記オリジナル画像情報生成処理部により生成されたオリジナル画像情報に対して、フラッシュファイル生成対象の画像情報として利用可能とするために転送を含む処理を行うオリジナル画像情報転送機能をさらに備える構成とすることもできる。【００４９】
かかる機能を備える本発明によれば、ユーザが編集したオリジナル画像情報をフラッシュファイル生成に活用することが可能となり、より独自性の高いフラッシュファイルを簡易に生成することを実現させる。
【発明の効果】
【００５０】
本発明によれば、ウェブ上或いは携帯電話、携帯端末等の情報通信機器を介してフラッシュファイル生成及びオリジナル静止画像情報編集を実現することで、ユーザ（例えば、個人ユーザや企業内ユーザ等）はシステムのメンテナンスやソフトウェアのバージョンアップ等を考慮することなく、かつ専門クリエイターの有する技術を有していなくとも、常に最新技術でクオリティの高い汎用性を有する動画像情報及び静止画像情報の生成を可能とし、個人ユーザの場合は私生活の充実化を図り、企業内ユーザの場合はビジネスチャンスの拡充が期待される。
【図面の簡単な説明】
【００５１】
【図１】本発明の一実施形態にかかるフラッシュファイル生成システム２とオリジナル静止画像情報生成システム３の複合ウェブサービスシステム１全体の構成を示すブロック図である。
【図２】本発明の一実施形態にかかるシステムの全体的な動作・機能の流れを示すフローチャートである。
【図３】本発明の一実施形態にかかるフラッシュファイル生成システム２のユーザ登録処理の詳細な構成及び動作についてのタイミングフローチャートである。
【図４】本発明の一実施形態にかかるフラッシュファイル生成システム２のフラッシュファイル生成にかかる静止画像情報及び／または動画像情報の変換処理等の詳細な構成及び動作についてのタイミングフローチャートである。
【図５】本発明の一実施形態にかかるフラッシュファイル生成システム２のフラッシュファイル生成にかかる静止画像情報や文字情報や動画像情報の編集・変換及びスライドの編集処理の詳細な構成及び動作についてのタイミングフローチャートである。
【図６】本発明の一実施形態にかかるフラッシュファイル生成システム２のフラッシュファイル生成にかかる保存処理の詳細な構成及び動作についてのタイミングフローチャートである。
【図７】本発明の一実施形態にかかるオリジナル静止画像情報生成システム３のユーザ登録処理の詳細な構成及び動作についてのタイミングフローチャートである。
【図８】本発明の一実施形態にかかるオリジナル静止画像情報生成システム３のオリジナル静止画像情報生成にかかる静止画像情報の変換処理等の詳細な構成及び動作についてのタイミングフローチャートである。
【図９】本発明の一実施形態にかかるオリジナル静止画像情報生成システム３のオリジナル静止画像情報生成にかかる静止画像情報や文字情報の編集及び変換処理等の詳細な構成及び動作についてのタイミングフローチャートである。
【図１０】本発明の一実施形態にかかるオリジナル静止画像情報生成システム３のオリジナル静止画像情報生成にかかる保存処理の詳細な構成及び動作についてのタイミングフローチャートである。
【図１１】本発明の一実施形態にかかるユーザ端末５０の有する画面上に表示されるフラッシュファイル生成システム２の操作画面である。
【図１２】本発明の一実施形態にかかるユーザ端末５０の有する画面上に表示されるオリジナル静止画像情報生成システム３の操作画面である。
【図１３】第五の実施例に係るフラッシュファイル生成の詳細な構成及び動作についてのタイミングフローチャートである。
【発明を実施するための最良の形態】
【００５２】
以下、図面を参照して本発明を実施するための最良の形態について説明する。【００５３】
図１は、本発明の一実施形態に係るフラッシュファイル生成システムとオリジナル静止画像情報生成システムの複合ウェブサービスシステム全体の構成を示すブロック図である。なお、以下では、本願発明の目的の達成のために説明に必要な範囲を模試的に示し、本願発明の該当部分の説明に必要な範囲を主に説明することとし、説明を省略する箇所については公知技術によるものとする。【００５４】
同図に示すように、本発明の一実施形態に係るフラッシュファイル生成システムとオリジナル静止画像情報生成システムの複合ウェブサービスシステム１は、フラッシュファイルサーバ１０及びフラッシュファイルデータベース２０を有するフラッシュファイル生成システム２とオリジナル静止画像情報サーバ３０及びオリジナル静止画像情報データベース４０を有するオリジナル静止画像情報生成システム３とを基本的な構成として備えている。また、フラッシュファイルサーバ１０及びフラッシュファイルデータベース２０とオリジナル静止画像情報サーバ３０及びオリジナル静止画像情報データベース４０とは、情報のやり取りが可能な状態に接続させている。フラッシュファイルサーバ１０及び／またはオリジナル静止画像情報サーバ３０は、ネットワーク６０（インターネット／イントラネットでもよい）を介してユーザ端末５０（携帯電話でもよい）と情報のやり取りが可能な状態に接続されている。【００５５】
フラッシュファイル生成システム２に係るフラッシュファイルサーバ１０は、フラッシュファイル編集処理部１０１、フラッシュファイル静止画像情報変換処理部（イメージコンバータ）１０２、フラッシュファイル文字情報変換処理部（テキストコンバータ）１０３、フラッシュファイル動画像情報変換処理部（ビデオコンバータ）１０４、フラッシュファイル生成処理部（ジェネレータ）１０５、フラッシュファイル操作画面表示処理部１０６及びフラッシュファイル通信部１０７を備えて構成されている。【００５６】
フラッシュファイル生成システム２に係るフラッシュファイルデータベース２０は、フラッシュファイルユーザ情報記憶部２０１、フラッシュファイル編集素材記憶部２０２、フラッシュファイル特殊効果記憶部２０３、フラッシュファイル記憶部２０４を備えて構成されている。【００５７】
フラッシュファイルサーバ１０に係るフラッシュファイル編集処理部１０１は、静止画像情報と静止画像情報または動画像情報との連結、及び、動画像情報と動画像情報との連結をさせるスライド連結機能と、スライド連結機能により連結させる静止画像情報または動画像情報を追加及び／または削除するためスライド追加削除機能と、フラッシュファイル通信部１０７を介して編集にかかる静止画像情報または動画像情報にかかる画像情報を送信（アップロード）するスライド画像情報アップロード機能とを備えて構成されている。【００５８】
さらに、フラッシュファイル編集処理部１０１は、動画像情報のうち、所望の部分を抽出することができるフラッシュファイル動画像情報抽出機能をさらに備えて構成されている。【００５９】
また、フラッシュファイル編集処理部１０１は、フラッシュファイル編集素材記憶部２０２に記憶される静止画像情報を呼び出すフラッシュファイル静止画像情報呼出機能と、呼び出された静止画像情報またはスライド画像情報アップロード機能により送信（アップロード）された静止画像情報やスライド内に入力された文字情報の各種情報のうち少なくとも１を含む情報及び／またはスライドにかかる情報にフラッシュファイル特殊効果記憶部２０３に格納される各種特殊効果（エフェクト）を呼び出して画像情報に付与するフラッシュファイルエフェクト呼出付与機能と、エフェクトが付与された文字情報及び／または静止画像情報を所定の数値設定範囲内で時間差表示する時間差表示機能と、全スライドに対して該フラッシュファイル通信部１０７を介して送信（アップロード）した静止画像情報を背景画像に設定する壁紙設定機能と、編集にかかる静止画像情報や文字情報やスライドにかかる情報に別の編集にかかるスライドまたはウェブページのいずれかの位置情報を関連付けるリンク設定機能と、生成にかかるフラッシュファイルにフラッシュファイル編集素材記憶部２０２に記憶される楽曲情報のうちのいずれか１つを選択してフラッシュファイルに付与するＢＧＭ設定機能と、フラッシュファイルをフラッシュファイル記憶部に収納またはフラッシュファイル記憶部から呼び出しをするフラッシュファイル収納呼出機能とを備えて構成されている。【００６０】
さらに、フラッシュファイル編集処理部１０１は、フラッシュファイルエフェクト呼出付与機能により付与された各種エフェクトを設定範囲内で重畳された状態で該フラッシュファイル生成処理部（ジェネレータ）１０５によりフラッシュファイルを生成可能とするフラッシュファイルエフェクト重畳付与機能を備えている。【００６１】
さらに、フラッシュファイル編集処理部１０１は、編集にかかる各種情報の映像時間及び生成されたフラッシュファイルの単位数当りの保存容量は契約内容に応じて柔軟に設定変更可能とするフラッシュファイル容量設定変更機能を備えている。【００６２】
さらに、フラッシュファイル編集処理部１０１は、フラッシュファイル収納機能によりフラッシュファイル記憶部２０４に格納されるフラッシュファイルをネットワーク６０を介してホームページに送信（アップロード）するためのタグ情報を生成するタグ情報生成機能とフラッシュファイルをフラッシュファイル記憶部から削除するフラッシュファイル削除機能とを備えている。【００６３】
さらに、フラッシュファイル編集処理部１０１は、生成されるフラッシュファイル等の容量を計算することができるフラッシュファイル容量計算機能を備えている。【００６４】
さらに、フラッシュファイル編集処理部１０１は、フラッシュファイル容量計算機能による容量の判別結果を基に、携帯電話の画面に表示する操作制限を有したインタフェースを生成することができるフラッシュファイル操作制限加重機能を備えている。【００６５】
フラッシュファイル静止画像情報変換処理部（イメージコンバータ）１０２は、編集に係る静止画像情報のリサイズやデータ形式の変更等のフラッシュファイル生成可能な状態に変換する処理を実行する。【００６６】
フラッシュファイル文字情報変換処理部（テキストコンバータ）１０３は、編集に係る文字情報のデータ形式の変更等のフラッシュファイル生成可能な状態に変換する処理を実行する。【００６７】
フラッシュファイル動画像情報変換処理部（ビデオコンバータ）１０４は、編集にかかる動画像情報のリサイズやデータ形式の変更等のフラッシュファイル生成可能な状態に変換する処理を実行する。【００６８】
フラッシュファイル生成処理部（ジェネレータ）１０５は、上述のようにして変換された静止画像情報や文字情報や動画像情報や編集されたスライドに係る情報の各種情報のうち少なくとも１つを含む情報を基にフラッシュファイルを生成する処理を実行する。【００６９】
フラッシュファイル操作画面表示処理部１０６は、フラッシュファイル生成に係る各種情報の編集をするフラッシュファイル操作ウィンドウと、フラッシュファイル操作画面表示処理部１０１に係るスライド連結機能やスライド追加削除機能やスライド画像情報アップロード機能を作動させるための信号入力ボタンを有するスライドの配列状況を視認するためのフラッシュファイルスライド配列表示帯と、フラッシュファイル操作画面表示処理部１０６に係るフラッシュファイル静止画像情報呼出機能やフラッシュファイルエフェクト呼出付与機能や時間差表示機能や壁紙設定機能やリンク設定機能やＢＧＭ設定機能やフラッシュファイル情報収納機能を作動させるためのフラッシュファイル編集エディタと、フラッシュファイル編集処理部に係るタグ情報生成機能やフラッシュファイル削除機能を作動させるための信号入力ボタンを有する編集に係るフラッシュファイルを選択するためのフラッシュファイル選択帯とを表示するフラッシュファイル操作画面表示機能を備えている。具体的には図１１に示す。【００７０】
このフラッシュファイル操作画面表示処理１０６にかかるフラッシュファイル操作画面表示機能は、フラッシュファイル編集処理部１０１にかかるフラッシュファイル動画像情報抽出機能を作動させるためのフラッシュファイル動画像情報抽出帯をさらに備えている。具体的には、例えば、動画像情報の再生時間情報が表示されている部分において、抽出したい所望の映像の開始時と終了時とをカーソル操作でクリック（マーキング）することで、所望の映像を抽出することができる。【００７１】
また、フラッシュファイル操作画面表示処理部１０６は、特にユーザ端末が携帯電話であって、テンキー操作で画面展開をしたりカーソルを移動させたり、携帯電話画面に表示される静止画像等の配置とテンキーの配置とを合わせることでユーザインターフェースを構成するテンキー操作機能をさらに備えている。【００７２】
フラッシュファイル通信部１０７は、ネットワーク６０を介して接続されたユーザ端末５０に対して、静止画像情報や動画像情報やフラッシュファイルの各種情報のうち少なくとも１つを含む情報の送受信をする機能を有する。【００７３】
フラッシュファイルユーザ情報記憶部２０１は、所定の手順によって登録されたユーザ情報、例えば、ユーザの氏名、年齢、現住所等のＩＤ情報が格納されている。【００７４】
フラッシュファイル編集素材記憶部２０２は、例えば、海外の景色、自然、季節、テクスチャ、建物、国内の風景、ＣＧ、静物、フード、クラフト、行事・イベント、スポーツ、人物、社会、動物、デザイン、乗り物等に関連する静止画像情報または動画像情報や、ヒーリング、フュージョン、オーケストラ、ジャズ等に関連する楽曲情報が格納されている。【００７５】
フラッシュファイル特殊効果記憶部２０３は、例えば、静止画像情報に付与する色合い、ストロボ、ゆっくり動かす等を含むイメージエフェクトや、文字情報に付与するスポット（そよ風のような動き等）、リピート（回転させるような動き等）を含むテキストエフェクトや、スライドに付与するシーン（濃霧のような効果等）、ドロップ（雨のような効果等）、カラー（各色を浮かび上がらせるような効果等）、シーズンエフェクト（クリスマスような効果等）を含むシーンエフェクト、カバー（スライドが上から降りてくるような効果等）、リビール（スライドが下に落ちていくような効果等）、プレス（スライドを下に押しつぶすような効果等）、ズーム（スライドが中央から次第に拡大していくような効果等）、フェードスルー（スライドに透明色を含む各色を覆い被せるような効果等）、シーズンエフェクト（クリスマスの模様を覆い被せるような効果等）、スペシャル（消しゴムで静止画像等を消してしまうような効果等）を含む切替エフェクト、絵文字、飾り系、キャラクター、ステッカー、ビジネスに関連する静止画像情報または動画像情報を含むアイテムエフェクトにかかる情報が格納されている。【００７６】
フラッシュファイル生成記憶部２０４は、編集にかかるフラッシュファイルが格納されている。【００７７】
また、フラッシュファイル生成記憶部２０４は、既存のフラッシュファイルが格納されている。すなわち、雛型（テンプレート）として予め記憶されており、ユーザはフラッシュファイルの雛型に所定の静止画像情報や文字情報を挿入することができる。【００７８】
オリジナル静止画像情報生成システム３に係るオリジナル静止画像情報サーバ３０は、オリジナル静止画像情報編集処理部３０１、オリジナル静止画像情報変換処理部３０２、オリジナル静止画像情報文字情報変換処理部３０３、オリジナル静止画像情報生成処理部３０４、オリジナル静止画像情報編集操作画面表示処理部３０５、オリジナル静止画像情報通信部３０６を備えて構成されている。【００７９】
オリジナル静止画像情報生成システム３に係るオリジナル静止画像情報データベース４０は、オリジナル静止画像情報編集ユーザ情報記憶部４０１、オリジナル静止画像情報特殊効果記憶部４０２を備えて構成されている。【００８０】
オリジナル静止画像情報サーバ３０に係るオリジナル静止画像情報編集処理部３０１は、オリジナル静止画像情報通信部３０５を介して編集する静止画像情報に係る画像情報を送信（アップロード）するオリジナル静止画像情報アップロード機能と、送信（アップロード）された静止画像情報上にさらに送信（アップロード）等にかかる静止画像情報を重複させることができるオリジナル静止画像情報合成機能と、送信（アップロード）された静止画像に静止画像情報特殊効果記憶部４０２に格納される各種静止画像特殊効果（静止画像情報エフェクト）を呼び出して静止画像情報に付与するオリジナル静止画像情報エフェクト呼出付与機能とを備えている。【００８１】
オリジナル静止画像情報静止画像情報変換処理部（イメージコンバータ）３０２は、編集に係る静止画像情報のリサイズやデータ形式の変更等のフラッシュファイル生成可能な状態に変換する処理を実行する。【００８２】
オリジナル静止画像情報文字情報変換処理部（テキストコンバータ）３０３は、編集に係る文字情報のデータ形式の変更等のフラッシュファイル生成可能な状態に変換する処理を実行する。【００８３】
オリジナル静止画像情報生成処理部（ジェネレータ）３０２は、上述のようにして編集された静止画像情報や文字情報の各種情報のうち少なくとも１つを含む情報を基にオリジナル静止画像情報を生成する処理を実行する。【００８４】
オリジナル静止画像情報編集操作画面表示処理部３０５は、静止画像情報を編集するためのオリジナル静止画像情報編集操作ウィンドウと、オリジナル静止画像情報編集処理部３０１に係るオリジナル静止画像情報アップロード機能を作動させるための信号入力ボタンを有する編集に係る静止画像情報を視認するためのオリジナル静止画像情報表示帯と、オリジナル静止画像情報編集処理部３０１に係るオリジナル静止画像情報エフェクト呼出付与機能を作動させるためのオリジナル静止画像情報編集エディタとを表示するオリジナル静止画像情報編集操作画面表示機能を備えている。具体的には図１２に示す。【００８５】
オリジナル静止画像情報通信部３０５は、ネットワーク６０を介して接続されたユーザ端末５０に対して、静止画像情報やオリジナル静止画像情報に係る各種情報のうち少なくとも１つを含む情報の送受信をする機能を有する。さらに、オリジナル静止画像情報生成システム３にかかるオリジナル静止画像情報生成処理部３０３により生成されたオリジナル静止画像情報をフラッシュファイル生成システム２に係る静止画像情報として利用可能とするために転送等するオリジナル静止画像情報転送機能を備えている。【００８６】
オリジナル静止画像情報編集ユーザ情報記憶部４０１は、所定の手順によって登録されたユーザ情報、例えば、ユーザの氏名、年齢、現住所等のＩＤ情報が格納されている。【００８７】
オリジナル静止画像情報特殊効果記憶部４０２は、例えば、オリジナル静止画像情報に付与するセピア、シャープ、グレースケール、グロー等の色合いに関する効果や、ブライトネス、コントラスト等の明暗に関する効果や、オリジナル静止画像情報の局部に付与可能とするモザイク、ぼかし、ペン、ブラッシュ等に関する手書き効果や、オリジナル静止画像情報の一部切り取りに関する効果や、記号（矢印等）、動物（熊等）、昆虫（蝶々等）、楽器（ラッパ等）、その他（音符、月、帽子等）に関連する静止画像情報（テンプレート）に関する効果や、角の丸め、角のぎざぎざ、影を有する等のオリジナル静止画像情報にかかる縁取りに関する効果等を含むイメージエフェクトや文字情報表の入力にかかるテキストボックスが吹き出し状に関する効果等を含むテキストエフェクトが格納されている。【００８８】
次に、上記のように構成される本発明のフラッシュファイル生成システムとオリジナル静止画像情報生成システムの複合ウェブサービスシステム１の動作を説明する。【００８９】
本発明に係るシステムの全体的な動作・機能の流れは図２に示すフローチャートのようになる。即ち、第一に、ユーザがフラッシュファイル生成システム２を利用する場合、フラッシュファイル生成システム２はユーザ端末５０からのユーザ登録処理を実行する（ステップＦ−１０）。次に、ユーザ登録処理完了後、フラッシュファイルの生成に係る静止画像情報及び／または動画像情報の送信（アップロード）または選定及び変換処理を実行する（ステップＦ−２０）。さらに、変換処理後、静止画像情報や文字情報や動画像情報やスライドに係る情報の各種情報のうち少なくとも１つを含む情報の編集及び編集後の変換処理とスライドの編集処理を実行し（ステップＦ−３０）、最後に、編集したスライドに係る静止画像情報や文字情報や動画像情報の各種情報のうち少なくとも１つを含む情報を基にフラッシュファイルを生成して保存処理を実行する（ステップＦ−４０）。【００９０】
第二に、ユーザがフラッシュファイル生成システム２とも連携可能とするオリジナル静止画像情報生成システム３も利用する場合、オリジナル静止画像情報生成システム３はユーザ端末５０からのユーザ登録処理を実行する（ステップＰ−１０）。次に、ユーザ登録処理完了後、オリジナル静止画像情報の生成にかかる静止画像情報の選定及び変換処理を実行する（ステップＰ−２０）。さらに、静止画像情報や文字情報の各種情報のうち少なくとも１つを含む情報の編集及び編集後の変換処理を実行し（ステップＰ−３０）、最後に、編集にかかる静止画像情報や文字情報の各種情報のうち少なくとも１つを含む情報を基にオリジナル静止画像情報を生成して保存処理を実行する（ステップＰ−４０）。【００９１】
次に本発明に係るフラッシュファイル生成システム２のユーザ登録処理の詳細な構成及び動作について、図３に示すタイミングフローチャートと図１を用いて説明する。同図に示すように、まず、ユーザ端末５０、例えば、ＰＣ（パーソナルコンピュータ）や携帯電話等からフラッシュファイル生成システム２のフラッシュファイルサーバ１０に対して接続を要求する接続要求信号を発信する（ステップＦ−１０−５０１）。この信号に対し、フラッシュファイルサーバ１０では、フラッシュファイルユーザ情報記憶部２０１に格納されているユーザ情報と合致するか否かの照合を行う（ステップＦ−１０−２０１）。照合できた場合、照合処理完了後（ステップＦ−１０−２０２）、フラッシュファイル操作画面表示処理部１０６に係るフラッシュファイル操作画面表示機能によりフラッシュファイル操作ウィンドウがユーザ端末５０の有する操作画面上に表示される（ステップＦ−１０−５０２）。なお、照合できない場合（図示しない）、フラッシュファイルサーバ１０はユーザ端末５０に対して新規登録要求を行う。【００９２】
次に本発明に係るフラッシュファイル生成システム２のフラッシュファイル生成に係る静止画像情報及び／または動画像情報の変換処理等の詳細な構成及び動作について、図４に示すタイミングフローチャート及び図１を用いて説明する。同図に示すように、ユーザ端末５０からフラッシュファイル編集処理部１０１にかかるスライド画像情報アップロード機能により静止画像情報及び／または動画像情報の送信（アップロード）をネットワーク６０を介してフラッシュファイルサーバ１０に対して行う（ステップＦ−２０−５０１）。これに対し、フラッシュファイルサーバ１０はフラッシュファイル通信部１０７により静止画像情報及び／または動画像情報を受信する（ステップＦ−２０−２０１）。その後、静止画像情報はフラッシュファイル静止画像情報変換処理部（イメージコンバータ）１０２によりフラッシュファイル生成可能な状態に変換処理され、動画像情報はフラッシュファイル動画像情報変換処理部（ビデオコンバータ）１０４によりフラッシュファイル生成可能な状態に変換され（ステップＦ−２０−２０３）、ユーザ端末５０の操作画面上に編集可能な状態で表示される（ステップＦ−２０−５０３）。【００９３】
また、ユーザ端末５０からフラッシュファイル編集素材記憶部２０２に格納される静止画像情報を選定する選定信号を発信する（ステップＦ−２０−５０２）。この信号に対し、フラッシュファイルサーバ１０は、フラッシュファイル編集処理部１０１に係るフラッシュファイル静止画像情報呼出機能により素材としての静止画像情報の呼出処理を実行する（ステップＦ−２０−２０２）。以後の処理は、上記同様なため説明を省略する。また、フラッシュファイル編集処理部１０１に係るスライド連結機能により上記一連の処理は二以上のスライドに対して可能であり、スライド追加削除機能によりスライドの追加や削除が可能となる。なお、上記一連の処理は、フラッシュファイル操作画面表示処理部１０６に係るフラッシュファイル操作画面表示機能によってユーザ端末５０の有する操作画面に表示されるフラッシュファイル操作ウィンドウ及びフラッシュファイルスライド配列表示帯からの入力処理によって行われる。【００９４】
次に本発明に係るフラッシュファイル生成システム２のフラッシュファイル生成に係る静止画像情報や文字情報や動画像情報の編集・変換及びスライドの編集処理の詳細な構成及び動作について、図５に示すタイミングフローチャート及び図１を用いて説明する。同図に示すように、ユーザ端末５０から操作により編集可能な状態で表示される静止画像情報を編集可能な状態にし、静止画像情報の基本編集をする静止画像情報基本編集信号を発信したり、フラッシュファイル特殊効果記憶部２０３に格納される各種イメージエフェクトを選定する選定信号を発信したりする（ステップＦ−３０−５０１）。ここで、静止画像情報基本編集には、スライド内での静止画像情報の移動、大きさの変更、秒単位での投影タイミング設定、回転、反転、処理のＵＮＤＯやＲＥＤＯやリセット等を含む。この信号に対し、フラッシュファイルサーバ１０は、フラッシュファイル編集処理部１０１にて基本編集にかかる処理及び／またはフラッシュファイルエフェクト呼出付与機能により各種イメージエフェクトを呼出して静止画像情報に付与する（ステップＦ−３０−２０１）。その後、静止画像情報はフラッシュファイル静止画像情報変換処理部（イメージコンバータ）１０２によりフラッシュファイル生成可能な状態に変換され（ステップＦ−３０−２０４）、ユーザ端末５０の操作画面上にさらに編集可能な状態で表示される（ステップＦ−３０−５０５）。【００９５】
また、ユーザ端末５０から操作により編集可能な状態で表示される静止画像情報及び／または動画像情報に対して文字情報にかかる基本編集をする文字情報基本編集信号を発信したり、フラッシュファイル特殊効果記憶部２０３に格納される各種テキストエフェクトを選定する選定信号を発信したりする（ステップＦ−３０−５０２）。ここで、文字情報基本編集には、文字情報の入力、スライド内での文字情報の移動、フォント、斜字・太字、文字色、縦書き・横書き、文字位置（左寄せ・中央・右寄せ）、秒単位での投影タイミング設定等を含む。この信号に対し、フラッシュファイルサーバ１０は、フラッシュファイル編集処理部１０１にて基本編集にかかる処理及び／またはフラッシュファイルエフェクト呼出付与機能により各種テキストエフェクトを呼出して文字情報に付与する（ステップＦ−３０−２０２）。その後、文字情報はフラッシュファイル文字情報変換処理部（テキストコンバータ）１０３によりフラッシュファイル生成可能な状態に変換され（ステップＦ−３０−２０４）、ユーザ端末５０の操作画面上にさらに編集可能な状態で表示される（ステップＦ−３０−５０５）。なお、上記一連の処理は、フラッシュファイル編集処理部１０１に係る時間差表示機能により、スライド内にて各種エフェクトが付与された静止画像情報及び／または文字情報等を所定の数値設定範囲内で時間差をつけて表示することも可能である（図示しない）。【００９６】
また、ユーザ端末５０から操作により編集可能な状態で表示される動画像情報を編集可能な状態にし、動画像画像情報の基本編集をする動画像情報基本編集信号を発信する（ステップＦ−３０−５０３）。ここで、動画像情報基本編集には、スライド内での動画像情報の移動、大きさの変更等を含む。その後、動画像情報はフラッシュファイル動画像情報変換処理部（ビデオコンバータ）１０４によりフラッシュファイル生成可能な状態に変換され（ステップＦ−３０−２０４）、ユーザ端末５０の操作画面上にさらに編集可能な状態で表示される（ステップＦ−３０−５０５）。【００９７】
さらに、ユーザ端末５０からの操作により上記一連の処理にかかるスライドにおける背景画像に係る静止画像情報をフラッシュファイル通信部１０７を介して送信（アップロード）したり、背景色を設定したりする編集信号を発信したり、フラッシュファイル特殊効果記憶部２０３に格納される各種シーンエフェクトや切替エフェクトやアイテムエフェクトを選定する選定信号を発信したりする（ステップＦ−３０−５０５）。この信号に対し、フラッシュファイルサーバ１０は、フラッシュファイル編集処理部１０１に係る壁紙設定機能により静止画像を背景画像に設定したり背景色を設定したり、フラッシュファイルエフェクト呼出付与機能により各種エフェクトを呼出してスライドに付与する（ステップＦ−３０−２０５）。その後、フラッシュファイルサーバ１０は処理を認識し（ステップＦ−３０−２０６）、ユーザ端末５０の操作画面上にさらに編集可能な状態で表示される（ステップＦ−３０−５０６）。【００９８】
このとき、フラッシュファイル編集処理部１０１に係るフラッシュファイルエフェクト重畳付与機能により、各種エフェクトを所定の設定範囲内で重畳された状態にすることができる（図示しない）。なお、リンク設定機能により編集にかかる静止画像情報や文字情報やスライドに係る情報に別の編集に係るスライドまたはウェブページのいずれかの位置情報を関連付け、ＢＧＭ設定機能により生成に係るフラッシュファイルにフラッシュファイル編集素材記憶部２０２に記憶される楽曲情報のうちのいずれか１つを選択してフラッシュファイルに付与することができる（図示しない）。また、上記一連の処理は、フラッシュファイル操作画面表示処理部１０６にかかるフラッシュファイル操作画面表示機能によってユーザ端末５０の有する操作画面に表示されるフラッシュファイル操作ウィンドウ及びフラッシュファイル編集エディタからの入力処理によって行われる。【００９９】
次に本発明にかかるフラッシュファイル生成システム２のフラッシュファイル生成に係る保存処理の詳細な構成及び動作について、図６に示すタイミングフローチャート及び図１を用いて説明する。同図に示すように、ユーザ端末５０からの操作によりフラッシュファイル生成可能な状態に変換された静止画像情報や文字情報や動画像情報や編集されたスライドに係る情報の各種情報のうち少なくとも１つを含む情報の保存をする保存信号を発信する（ステップＦ−４０−５０１）。この信号に対し、フラッシュファイルサーバ１０は、フラッシュファイル生成処理部（ジェネレータ）１０５により、各種情報を所定の処理にて結合してフラッシュファイル（ＳＷＦ）を生成する（ステップＦ−４０−２０１）。その後、フラッシュファイル編集処理部１０１に係るフラッシュファイル収納呼出機能によりフラッシュファイル記憶部２０４に収納し（ステップＦ−４０−２０２）、ユーザ端末５０の操作画面上にさらに編集可能な状態で表示する（ステップＦ−４０−５０２）。【０１００】
また、ユーザ端末５０からの操作によりフラッシュファイルを送信（ダウンロード）する送信信号を発信する（ステップＦ−４０−５０３）。この信号に対し、フラッシュファイルサーバ１０は、フラッシュファイル収納呼出機能によりフラッシュファイル記憶部２０４からフラッシュファイルを呼び出す（ステップＦ−４０−２０３）。その後、フラッシュファイル通信部１０７にてフラッシュファイルを送信し（ステップＦ−４０−２０４）、ユーザ端末５０の有する記憶媒体に保存される（ステップＦ−４０−５０４）。【０１０１】
さらに、ユーザ端末５０からの操作によりフラッシュファイルのホームページ掲載に係るタグ情報の生成を行うタグ情報生成信号を発信する（ステップＦ−４０−５０５）。この信号に対し、フラッシュファイルサーバ１０は、フラッシュファイル編集処理部１０１に係るタグ情報生成機能にて、フラッシュファイルをインターネットを介してホームページに送信（アップロード）するためのタグ情報を生成する（ステップＦ−４０−２０５）。その後、ユーザ端末５０の操作画面上にタグ情報が表示される（ステップＦ−４０−５０６）。なお、フラッシュファイル削除機能によりフラッシュファイル記憶部２０４からフラッシュファイルの削除ができる（図示しない）。また、上記一連の処理は、フラッシュファイル操作画面表示処理部１０６にかかるフラッシュファイル操作画面表示機能によってユーザ端末５０の有する操作画面に表示されるフラッシュファイル操作ウィンドウ及びフラッシュファイル選択帯からの入力処理によって行われる。【０１０２】
次に本発明に係るオリジナル静止画像情報生成システム３のユーザ登録処理の詳細な構成及び動作について、図７に示すタイミングフローチャート及び図１を用いて説明する。同図に示すように、まず、ユーザ端末５０からオリジナル静止画像情報生成システム３のオリジナル静止画像情報サーバ３０に対して接続を要求する接続要求信号を発信する（ステップＰ−１０−５０１）。この信号に対し、オリジナル静止画像情報サーバ３０では、オリジナル静止画像情報編集ユーザ情報記憶部４０１に格納されているユーザ情報と合致するか否かの照合を行う（ステップＰ−１０−３０１）。照合できた場合、照合処理後（ステップＰ−１０−３０２）、オリジナル静止画像情報編集操作画面表示処理部３０３に係るオリジナル静止画像情報編集操作画面表示機能によりオリジナル静止画像情報編集操作ウィンドウがユーザ端末５０の有する操作画面上に表示される（ステップＰ−１０−５０２）。なお、照合できない場合（図示しない）、オリジナル静止画像情報サーバ３０はユーザ端末５０に対して新規登録要求を行う。【０１０３】
次に本発明に係るオリジナル静止画像情報生成システム３のオリジナル静止画像情報生成に係る静止画像情報の変換処理等の詳細な構成及び動作について、図８に示すタイミングフローチャート及び図１を用いて説明する。同図に示すように、ユーザ端末５０からオリジナル静止画像情報編集処理部３０１に係るオリジナル静止画像情報アップロード機能により静止画像情報の送信（アップロード）をネットワーク６０を介してオリジナル静止画像情報サーバ３０に対して行う（ステップＰ−２０−５０１）。これに対し、オリジナル静止画像情報サーバ３０はオリジナル静止画像情報通信部３０４により静止画像情報を受信する（ステップＰ−２０−３０１）。その後、静止画像情報はオリジナル静止画像情報変換処理部（イメージコンバータ）３０２によりオリジナル静止画像情報生成可能な状態に変換処理され（ステップＰ−２０−３０２）、ユーザ端末５０の操作画面上に編集可能な状態で表示される（ステップＰ−２０−５０２）。また、オリジナル静止画像情報編集処理部３０１にかかるオリジナル静止画像情報合成機能にて、ユーザ端末５０からの操作により送信（アップロード）された静止画像情報上にさらに送信（アップロード）等にかかる静止画像情報を重複させて編集することができる（図示しない）。なお、上記一連の処理は、オリジナル静止画像情報編集操作画面表示処理部３０５に係るオリジナル静止画像情報編集操作画面表示機能によってユーザ端末５０の有する操作画面に表示されるオリジナル静止画像情報編集操作ウィンドウ及びオリジナル静止画像情報表示帯からの入力処理によって行われる。【０１０４】
次に本発明に係るオリジナル静止画像情報生成システム３のオリジナル静止画像情報生成に係る静止画像情報や文字情報の編集及び変換処理等の詳細な構成及び動作について、図９に示すタイミングフローチャート及び図１を用いて説明する。同図に示すように、ユーザ端末５０からの操作により編集可能な状態で表示されるオリジナル静止画像情報を編集可能な状態にし、オリジナル静止画像情報の基本編集をするオリジナル静止画像情報基本編集信号を発信したり、オリジナル静止画像情報特殊効果記憶部４０２に格納される各種エフェクトを選定して選定信号を発信したりする（ステップＰ−３０−５０１）。ここで、オリジナル静止画像情報基本編集には、大きさの変更、回転、反転等を含む。この信号に対し、オリジナル静止画像情報サーバ３０は、オリジナル静止画像情報編集処理部３０１にて基本編集に係る処理及び／またはオリジナル静止画像情報エフェクト呼出付与機能により各種イメージエフェクトを呼出して静止画像情報に付与する（ステップＰ−３０−３０１）。その後、静止画像情報はオリジナル静止画像情報静止画像情報変換処理部３０２によりオリジナル静止画像情報生成可能な状態に変換され（ステップＦ−３０−３０３）、ユーザ端末５０の操作画面上にさらに編集可能な状態で表示される（ステップＦ−３０−５０５）。【０１０５】
また、ユーザ端末５０からの操作により編集可能な状態で表示される静止画像情報に対して文字情報に係る基本編集をする文字情報基本編集信号を発信したり、オリジナル静止画像情報特殊効果記憶部４０２に格納される各種テキストエフェクトを選定する選定信号を発信したりする（ステップＰ−３０−５０２）。ここで、文字情報基本編集には、文字情報の入力、フォント、斜字・太字、文字色等を含む。この信号に対し、オリジナル静止画像情報サーバ３０は、オリジナル静止画像情報編集処理部３０１にて基本編集に係る処理及び／またはオリジナル静止画像情報エフェクト呼出付与機能により各種テキストエフェクトを呼出して静止画像情報に付与する（ステップＰ−３０−３０２）。その後、文字情報はオリジナル静止画像情報文字情報変換処理部３０３によりオリジナル静止画像情報生成可能な状態に変換され（ステップＦ−３０−３０３）、ユーザ端末５０の操作画面上にさらに編集可能な状態で表示される（ステップＦ−３０−５０５）。なお、上記一連の処理は、オリジナル静止画像情報編集操作画面表示処理部３０５に係るオリジナル静止画像情報編集操作画面表示機能によってユーザ端末５０の有する操作画面に表示されるオリジナル静止画像情報編集操作ウィンドウ及びオリジナル静止画像情報編集エディタからの入力処理によって行われる。【０１０６】
次に本発明に係るオリジナル静止画像情報生成システム３のオリジナル静止画像情報生成に係る保存処理の詳細な構成及び動作について、図１０に示すタイミングフローチャート及び図１を用いて説明する。同図に示すように、ユーザ端末５０からの操作により前記オリジナル静止画像情報生成可能な状態に変換された静止画像情報や文字情報に係る情報の各種情報のうち少なくとも１つを含む情報の保存をする保存信号を発信する（ステップＰ−４０−５０１）。この信号に対し、オリジナル静止画像情報サーバ３０は、オリジナル静止画像情報生成処理部３０４により、各種情報を所定の処理にて結合してオリジナル静止画像情報（ＪＰＥＧ）を生成する（ステップＰ−４０−３０１）。その後、オリジナル静止画像情報通信部３０５にてオリジナル静止画像情報（ＪＰＥＧ）にかかる情報を送信し（ステップＰ−４０−３０２）、ユーザ端末５０の操作画面上に保存可能な状態で表示し、ユーザ端末５０の有する記憶媒体に表示されたオリジナル静止画像情報（ＪＰＥＧ）を保存する（ステップＰ−４０−５０２）。なお、上記一連の処理は、オリジナル静止画像情報編集操作画面表示処理部３０５に係るオリジナル静止画像情報編集操作画面表示機能によってユーザ端末５０の有する操作画面に表示されるオリジナル静止画像情報編集操作ウィンドウ及びオリジナル静止画像情報編集エディタからの入力処理によって行われる。【０１０７】
また、ユーザ端末５０からの操作によりオリジナル静止画像情報通信部３０５の有するオリジナル静止画像情報転送機能にてオリジナル静止画像情報（ＪＰＥＧ）をフラッシュファイル生成システム２に転送することもできる（図示しない）。【０１０８】
以上、詳細に説明したように、フラッシュファイル生成システム２とオリジナル静止画像情報生成システム３の複合ウェブサービスシステム１によれば、フラッシュファイル生成システム２によりユーザ端末５０とフラッシュファイルサーバ１０との間で、フラッシュファイル編集処理部１０１にてフラッシュファイル生成の基となる静止画像情報や文字情報や動画像情報やスライドに係る情報の編集を行い、編集に係る静止画像情報をフラッシュファイルに適合するように、フラッシュファイル静止画像情報変換処理部（イメージコンバータ）１０２にて所定の処理により静止画像サイズの変更（リサイズ）やデータ形式の変更（ＪＰＥＧ）に係る変換を行い、フラッシュファイル文字情報変換処理部（テキストコンバータ）１０３にて所定の処理によりデータ形式の変更（ＪＰＥＧ）に係る変換を行い、フラッシュファイル動画像情報変換処理部（ビデオコンバータ）１０４にて所定の処理により動画像サイズの変更（リサイズ）やデータ形式の変更（ＦＬＶ）に係る変換を行い、変換後の各種情報をフラッシュファイル生成処理部（ジェネレータ）にて所定の処理により結合してフラッシュファイル（ＳＷＦ）を生成する一連の作業を、フラッシュファイル操作画面表示処理部にてインターネットを介してウェブブラウザによりユーザ端末５０の画面に表示される操作画面上での操作で実現させるので、ユーザはフラッシュファイル生成に係るシステム構築を行う必要もなく、ユーザの都合に合わせて幅広く活用することができる。【０１０９】
また、フラッシュファイル生成システム２とも連携可能なオリジナル静止画像情報生成システム３により、ユーザ端末５０とオリジナル静止画像情報サーバ３０との間で、オリジナル静止画像情報編集処理部３０１にて静止画像情報や文字情報の編集を行い、編集にかかる静止画像情報をオリジナル静止画像情報に適合するように、オリジナル静止画像情報サーバ３０に係るオリジナル静止画像情報静止画像情報変換処理部３０２にて所定の処理により静止画像サイズの変更（リサイズ）やデータ形式の変更（ＪＰＥＧ）に係る変換を行い、オリジナル静止画像情報文字情報変換処理部３０３にて所定の処理によりデータ形式の変更（ＪＰＥＧ）に係る変換を行い、編集後の各種情報をオリジナル静止画像情報生成処理部３０４にて所定の処理により結合してオリジナル静止画像情報（ＪＰＥＧ）を生成する一連の作業を、オリジナル操作画面表示処理部３０５にてインターネットを介してウェブブラウザによりユーザ端末５０の画面に表示される操作画面上での操作で実現させるので、手軽に生成したオリジナルの静止画像情報を素材としてフラッシュファイルの生成を行うことができるため、個人ユーザの枠を超えて企業内ユーザの早急な経営企画戦略立案の場面等、さらに幅広く活用することができる。
【実施例１】
【０１１０】
ここで、本発明に係るフラッシュファイル生成システム２において、特に所望のフラッシュファイル生成の簡易化を特徴とする第一の実施例について、図１を用いて説明をする。なお、第一の実施例はフラッシュファイル生成システム２を実施するための最良の形態の一部であるため、同様の部分の記載及びタイミングフローチャート等の図示は省略する。【０１１１】
ユーザ端末５０からフラッシュファイル編集処理部１０１にかかるスライド画像情報アップロード機能により静止画像情報の送信（アップロード）を、ネットワーク６０を介してフラッシュファイルサーバ１０に行う。これに対し、フラッシュファイルサーバ１０はフラッシュファイル通信部１０７によりこの静止画像情報を受信する。当該静止画像情報は、フラッシュファイル静止画像情報変換処理部（イメージコンバータ）１０２によりフラッシュファイル生成可能な状態に変換処理される。そして、ユーザ端末５０から、フラッシュサーバ１０のフラッシュファイル編集処理部１０１に係るフラッシュファイルエフェクト呼出付与機能により当該静止画像及び／または文字情報をフラッシュファイル生成記憶部２０４に格納されている既存のフラッシュファイル（フラッシュテンプレート）に付与することができる。付与後、ユーザ端末５０からの保存信号により、ファイルサーバ１０は、フラッシュファイル生成処理部（ジェネレータ）１０５により、各種情報を所定の処理にて結合してフラッシュファイル（ＳＷＦ）を生成する。【０１１２】
したがって、上記説明した第一の実施例により、ユーザはＡＰＩ（アプリケーション・プログラミング・インタフェース）を利用し、システム導入に手間をかけずに、付加価値が高く顧客満足度を得られる宣伝広告やプレゼンテーション資料のフラッシュファイルを生成することができる。
【実施例２】
【０１１３】
また、本発明に係るフラッシュファイル生成システム２において、特にフラッシュファイル生成に係る動画像情報の編集方法を有することを特徴とするフラッシュファイル生成の第二の実施例について、図１を用いて説明をする。なお、第二の実施例はフラッシュファイル生成システム２を実施するための最良の形態の一部であるため、同様の部分の記載及びタイミングフローチャート等の図示は省略する。【０１１４】
フラッシュファイル生成システム２でフラッシュファイルを生成する際、ユーザ端末５０からの操作により編集可能な状態で表示される動画像情報を編集可能な状態にし、動画像画像情報の基本編集をする動画像情報基本編集信号を発信する。ここで、動画像情報基本編集には、スライド内での動画像情報の移動、大きさの変更等を含む。詳細には、編集したい動画像情報を選択（ダブルクリック）して、この動画像情報のうち編集したい映像をフラッシュファイル操作画面表示処理部１０６に表示されるフラッシュファイル動画像情報抽出帯で、カーソル操作のみにより、所望の動画像情報を獲得することができる。具体的には、例えば、動画像情報の再生時間情報が表示されている部分において、抽出したい所望の映像の開始時と終了時とをカーソル操作でクリック（マーキング）することで、所望の映像を抽出することができる。また、フラッシュファイル編集処理部１０１のＢＧＭ設定機能により、当該動画像情報等に付与する音楽情報（ＢＧＭ）の再生時間等も任意に設定することができる。【０１１５】
したがって、上記説明した第二の実施例により、ユーザは固有端末に専用のアプリケーションをインストールすることなく、インターネット上で所望の動画像情報や音楽情報を組み合せてフラッシュファイルを生成することができる。
【実施例３】
【０１１６】
次に、フラッシュファイル生成システム２で生成されたフラッシュファイルを、特に携帯電話の待受画面に利用したり携帯電話用電子メールとして配信したりすることを特徴とする第三の実施例について、図１を用いて説明をする。なお、第三の実施例はフラッシュファイル生成システム２を実施するための最良の形態の一部であるため、同様の部分の記載及びタイミングフローチャート等の図示は省略する。【０１１７】
フラッシュファイル生成後、ユーザ端末５０（例えば、携帯電話を含む。）からの操作により生成されたフラッシュファイルを送信（ダウンロード）する送信信号を発信し、この信号に対し、フラッシュファイルサーバ１０は、フラッシュファイル収納呼出機能によりフラッシュファイル記憶部２０４から当該フラッシュファイルを呼び出す。その後、フラッシュファイル通信部１０７にてフラッシュファイルを送信し、ユーザ端末５０の有する記憶媒体に保存する。ユーザ端末５０が携帯電話以外の場合、所望の携帯電話に遷移するか、或いは電子メール機能にてフラッシュファイル通信部１０７を介して携帯電話に送信する。【０１１８】
したがって、上記説明した第三の実施例により、ユーザや企業が持っている素材を生かしてデザイン工数をかけずに、簡単に携帯電話用の待受画面或いはフラッシュファイルメールを作成することができる。
【実施例４】
【０１１９】
次に、フラッシュファイル生成システム２において、特に４枚の静止画像情報にそれぞれ特殊効果を加えて連結させたフラッシュファイルを生成することを特徴とするフラッシュファイル生成の第四の実施例について、図１を用いて説明をする。なお、第四の実施例はフラッシュファイル生成システム２を実施するための最良の形態の一部であるため、同様の部分の記載及びタイミングフローチャート等の図示は省略する。【０１２０】
ユーザ端末５０（例えば、携帯電話を含む。）からフラッシュファイル編集処理部１０１に係るスライド画像情報アップロード機能により４枚の静止画像情報の送信（アップロード）を、ネットワーク６０を介してフラッシュファイルサーバ１０に行う。アップロード後、ユーザ端末５０の画面上で、フラッシュファイル操作画面表示処理部１０６のフラッシュファイル操作画面表示機能により表示されるフラッシュファイル編集エディタにてフラッシュファイルエフェクト呼出付与機能を作動させて文字情報或いは各種特殊効果（エフェクト）を呼び出して当該静止画像情報に付与する。付与後、ユーザ端末５０からの保存信号により、ファイルサーバ１０は、フラッシュファイル生成処理部（ジェネレータ）１０５により、各種情報を所定の処理にて結合してフラッシュファイル（ＳＷＦ）を生成する。保存の際、フラッシュファイル編集処理部１０１のフラッシュファイル収納機能に係るタグ情報生成機能により、フラッシュファイル記憶部２０４に格納されるフラッシュファイルを、ネットワークを介してホームページに送信（アップロード）する。【０１２１】
したがって、上記説明した第四の実施例により、ユーザはＡＰＩ（アプリケーション・プログラミング・インタフェース）を利用し、システム導入に手間をかけずに、インターネット上で４コマ漫画風のスライドショーとなるフラッシュファイルを生成することができる。また、ユーザ間では、タグ情報にてホームページやブログに該フラッシュファイルをアップロードすることができるため、ファイル共有を簡単に行うことができる。
【実施例５】
【０１２２】
次に、フラッシュファイル生成システム２において、特にユーザ端末５０が携帯電話であって、携帯電話のテンキーをユーザインターフェースとして構成していることを特徴とするフラッシュファイル、ＶＧＴファイル、或いはＰＩＮＧファイルのうち少なくとも一つを生成する第五の実施例について、図１及び図１３を用いて説明をする。なお、第五の実施例はフラッシュファイル生成システム２を実施するための最良の形態の一部であるため、同様の部分の記載及びタイミングフローチャート等の図示は省略する。【０１２３】
ユーザ端末５０でフラッシュファイルサーバ１０にネットワーク６０を介してアクセスし、所定の初期画面が表示される。そして、フラッシュファイルサーバ１０のフラッシュファイル操作画面表示処理部１０６に係るテンキー操作機能により、例えば、画面切替、カーソル移動、挿入する静止画像情報や文字情報の移動、選択、決定及びその他ファイル生成するために必要な操作は全てテンキーで行うことができ、これらに限定されない。具体的には、背景の静止画像情報を選択する場合、画面上の背景の配列とテンキーの配列とを合わせて、所望の背景に該当するテンキーをクリック操作することで選択し、「＊」を押すと初期画面に戻り、「０」を押すと全画面に切り替り、「＃」を押すと次画面に切り替る。また、背景内に独自の静止画像情報（この場合、顔写真を含む。）や文字情報（この場合、電子メール本文を含む。）を挿入する場合は、テンキーの「２」を押すと上方向、「８」を押すと下方向、「６」を押すと右方向、「４」を押すと左方向へ挿入場所を移動させることができ、「５」を押すと選択、「０」を押すと選択の確定、「＊」を押すと前画面へ戻る。【０１２４】
図１３は、第五の実施例に係るフラッシュファイル生成の詳細な構成及び動作についてのタイミングフローチャートである。同図に示すように、フラッシュファイルサーバ１０は、初期のインタフェース（以下、「フラッシュファイル」ともいう。）の生成をする（ステップＤ−１０−２０１）。ここで、初期のインタフェースとは、フラッシュファイルを生成するための操作画面である。ユーザ端末５０の画面上には、当該初期のインタフェースが画面表示される（ステップＤ−１０−５０１）。その後、ユーザ端末５０の操作により、フラッシュファイルサーバ１０への信号発信が必要な処理、例えば、フラッシュファイル編集素材記憶部２０２に格納されている各種静止画像情報の選定（具体的には、背景や貼り付けるアイテムの選定を示す。）や、フラッシュファイル特殊効果記憶部２０３に格納される各種イメージエフェクトの選定その他フラッシュファイルサーバ１０での処理が必要な操作については信号を発信し（ステップＤ−１０−５０２）、フラッシュファイルサーバ１０の処理により所望の静止画像情報やエフェクトが付与される（ステップＤ−１０−２０２）（一方、フラッシュサーバ１０での処理が不必要な操作、例えば、アイテムの位置変更やサイズ変更については、信号を発信しない）。このとき、フラッシュファイル編集処理１０１のフラッシュファイル容量計算機能により、生成されるフラッシュファイルの容量が計算され、その結果からユーザ端末５０の受信容量の制限内か制限外かを判別する（ステップＤ−１０−２０３）。具体的には、携帯電話の受信容量制限は一般的に１００Ｋｂ（キロバイト）であるところ、生成されるフラッシュファイルの容量が９０Ｋｂであって、１５Ｋｂを有する他のエフェクトを付与すると合計１０５Ｋｂになるため、該エフェクトは付与不可である旨の判定を行う。これにより、未然に１００Ｋｂを超えることのない所望のフラッシュファイルを生成することができる。したがって、受信容量の計算の結果、制限内と判定されれば、操作制限の無いインタフェースが生成及び収納され（ステップＤ−１０−２０４）、ユーザ端末５０の画面に表示される（ステップＤ−１０−５０３）。一方、制限外と判定されれば、フラッシュファイル編集処理１０１のフラッシュファイル操作制限加重機能により、操作制限を有するインタフェースが生成及び収納され（ステップＤ−１０−２０５）、ユーザ端末５０の画面には、操作することができないものを含んで表示される（ステップＤ−１０−５０４）。具体的には、上記１５Ｋｂを有する他のエフェクトを付与するための操作キーは選択不可となる。その後、その他の静止画像情報やエフェクトを付与することができる場合はステップＤ−１０−５０２に戻り同様の処理が繰り返される。これにより、所望のフラッシュファイル等のイメージが構築されたら、フラッシュファイル生成処理部１０５により、各種情報を所定の処理にて結合してフラッシュファイル等を生成することができ、当該フラッシュファイル等を所定の電子メールアドレスを有する他のユーザ端末へ送信することができる。【０１２５】
したがって、上記説明した第五の実施例により、携帯電話に係るモバイルサイト上で簡単にフラッシュファイル、ＶＧＴファイル、或いはＰＩＮＧファイルを作成することできるため、インタラクティブコミュニケーションとして活用することができる。また、様々なプロモーションキャンペーンツールとしても利用することができる。さらに、会員制サイト（例えば、コミュニティ、ＳＮＳ(ソーシャル・ネットワーク・サービス)の会員同士の交流ツールとしての導入や、会員に対する様々な広告設定（プロモーション・キャンペールツール）しても利用することができる。またさらに、生成したフラッシュファイル等はテンプレートとして投稿形式にすることで、ユーザ間のファイル共有が可能となる。【０１２６】
なお、本発明は上述した実施形態に限定されるものではなく、本発明の主旨を逸脱しない範囲内で種々変更して実施することが可能である。【０１２７】
また、上述したものは本願にかかる技術思想を具現化するための実施形態の一例を示したにすぎないものであり、他の実施形態でも本願にかかる技術思想を適用することが可能である。【０１２８】
さらにまた、本願発明を用いて生産される装置、方法、システムが、その２次的生産品に登載されて商品化された場合であっても、本願発明の価値は何ら減ずるものではない。
【産業上の利用可能性】
【０１２９】
本発明に係るフラッシュファイル生成システムとオリジナル静止画像情報生成システムの複合ウェブサービスシステムによれば、ウェブ上或いは携帯電話、携帯端末等の情報通信機器を介したフラッシュファイル生成及びオリジナル静止画像情報編集生成を実現することで、ユーザ（例えば、個人ユーザや企業内ユーザ等）はシステムのメンテナンスやソフトウェアのバージョンアップ等を考慮することなく、かつ専門クリエイターの有する技術を要さない。したがって、常に最新技術でクオリティの高い汎用性を有する動画像情報及び静止画像情報の生成を可能とし、この効果は、個人ユーザの場合は私生活の充実化や企業内ユーザのビジネスチャンスの拡充にとどまらず、現代の社会問題、例えば、温暖化による環境破壊からの保護等のテーマについて多くのユーザがこの問題に対する考えを本システムを通じて自己表現できる点で、各種産業に対して非常な有益性をもたらすものである。
【図１】
2009034718.tif 000003
【図２】
2009034718.tif 000004
【図３】
2009034718.tif 000005
【図４】
2009034718.tif 000006
【図５】
2009034718.tif 000007
【図６】
2009034718.tif 000008
【図７】
2009034718.tif 000009
【図８】
2009034718.tif 000010
【図９】
2009034718.tif 000011
【図１０】
2009034718.tif 000012
【図１３】
2009034718.tif 000013
【図１１】
2009034718.tif 000014
【図１２】
2009034718.tif 000015
【国際調査報告】
2009034718.tif 000016
2009034718.tif 000017
2009034718.tif 000018
2009034718.tif 000019
2009034718.tif 000020